(57)【要約】【課題】室内空間で衣類を乾燥させることを、無駄なエネルギー消費を極力抑制しつつ、効率よく行うことを可能とする衣類乾燥システムを提供する。【解決手段】衣類ＣＬの乾燥を行うとき、住戸Ｈの屋外の湿度が低いと判断される状況では、空調装置１の冷房運転を行うことなく、空調装置１及び暖房装置２のうちの少なくとも一方の暖房運転と、換気装置７の換気運転とを行い、住戸Ｈの屋外の湿度が高いと判断される状況では、暖房装置２の暖房運転と換気装置７の換気運転とを行うことなく、空調装置１の除湿運転を行う。【選択図】図２
2019056508.tif 000002
【特許請求の範囲】
【請求項１】
住戸の室内空間の除湿、冷房及び暖房を選択的に行う機能を有するヒートポンプ式の空調装置と、
前記室内空間の換気を行う機能を有する換気装置と、
前記室内空間の暖房を行う機能を有する暖房装置と、
前記室内空間に配置された乾燥対象の衣類を乾燥させるための衣類乾燥モードを有し、該衣類乾燥モードにおいて、前記空調装置、前記換気装置及び前記暖房装置のうちの一つ以上の装置を作動させるように、該空調装置、該換気装置及び該暖房装置の運転制御を実行する制御装置とを備えており、
前記制御装置は、前記衣類乾燥モードにおいて、前記住戸の屋外の湿度の高低を判断するための指標情報を取得可能であり、取得した指標情報により該住戸の屋外の湿度が低いと判断されるときには、前記空調装置の冷房運転を行うことなく、前記空調装置及び前記暖房装置のうちの少なくとも一方の暖房運転と、前記換気装置の換気運転とを行わせ、取得した指標情報により該住戸の屋外の湿度が高いと判断されるときには、前記暖房装置の暖房運転と前記換気装置の換気運転とを行うことなく、前記空調装置の除湿運転を行わせるように、該空調装置、該換気装置及び該暖房装置の運転制御を実行するように構成されていることを特徴とする衣類乾燥システム。
【請求項２】
請求項１記載の衣類乾燥システムにおいて、
前記制御装置は、前記衣類乾燥モードにおいて、前記指標情報により前記住戸の屋外の湿度が低いと判断されるときには、前記空調装置及び前記暖房装置の両方の暖房運転と、前記換気装置の換気運転とを行わせるように、該空調装置、該換気装置及び該暖房装置の運転制御を実行するように構成されていることを特徴とする衣類乾燥システム。
【請求項３】
住戸の室内空間の除湿、冷房及び暖房を選択的に行う機能を有するヒートポンプ式の空調装置と、
前記室内空間の換気を行う機能を有する換気装置と、
前記室内空間に配置された乾燥対象の衣類を乾燥させるための衣類乾燥モードを有し、該衣類乾燥モードにおいて、前記空調装置及び前記換気装置のうちの一つ以上の装置を作動させるように、該空調装置及び該換気装置の運転制御を実行する制御装置とを備えており、
前記制御装置は、前記衣類乾燥モードにおいて、前記住戸の屋外の湿度の高低を判断するための指標情報を取得可能であり、取得した指標情報により該住戸の屋外の湿度が低いと判断されるときには、前記空調装置の暖房運転と、前記換気装置の換気運転とを行わせ、取得した指標情報により該住戸の屋外の湿度が高いと判断されるときには、前記換気装置の換気運転を行うことなく、前記空調装置の除湿運転を行わせるように、該空調装置及び該換気装置の運転制御を実行するように構成されていることを特徴とする衣類乾燥システム。
【請求項４】
請求項１〜３のいずれか１項に記載の衣類乾燥システムにおいて、
前記制御装置は、前記室内空間に人が居るか否かを判断するための指標情報である在室情報を取得可能であり、該在室情報により前記室内空間に人が居ないと判断されることを必要条件として、前記衣類乾燥モードでの前記運転制御を実行するように構成されていることを特徴とする衣類乾燥システム。
【発明の詳細な説明】
【技術分野】
【０００１】
本発明は、室内空間で洗濯物等の衣類を乾燥するためのシステムに関する。
【背景技術】
【０００２】
従来、例えば特許文献１に見られるように、住戸の室内空間で衣類の乾燥を行う場合に、空調装置の冷房運転と、床暖房装置の暖房運転とを自動的に並行して行う技術が知られている。
【先行技術文献】
【特許文献】
【０００３】
【特許文献１】特開２０１６−２０５６７２号公報
【発明の概要】
【発明が解決しようとする課題】
【０００４】
しかしながら、前記特許文献１に見られる技術では、床暖房装置で発生した熱エネルギーの多くが、冷房運転を行う空調装置で吸収されてしまうため、衣類の乾燥のためのエネルギーの利用効率が低いものとなると共に、衣類の湿気の蒸発が進行し難いものとなりやすい。特に、屋外の湿度が高湿度なものとなる夏季等では、空調装置の冷房運転による室内空間の除湿性能が低下しやすいため、衣類の乾燥に要する時間が長くなりやすい。
【０００５】
本発明はかかる背景に鑑みてなされたものであり、室内空間で衣類を乾燥させることを、無駄なエネルギー消費を極力抑制しつつ、効率よく行うことが可能とする衣類乾燥システムを提供することを目的とする。
【課題を解決するための手段】
【０００６】
本発明の衣類乾燥システムは、上記の目的を達成するために、住戸の室内空間の除湿、冷房及び暖房を選択的に行う機能を有するヒートポンプ式の空調装置と、
前記室内空間の換気を行う機能を有する換気装置と、
前記室内空間の暖房を行う機能を有する暖房装置と、
前記室内空間に配置された乾燥対象の衣類を乾燥させるための衣類乾燥モードを有し、該衣類乾燥モードにおいて、前記空調装置、前記換気装置及び前記暖房装置のうちの一つ以上の装置を作動させるように、該空調装置、該換気装置及び該暖房装置の運転制御を実行する制御装置とを備えており、
前記制御装置は、前記衣類乾燥モードにおいて、前記住戸の屋外の湿度の高低を判断するための指標情報を取得可能であり、取得した指標情報により該住戸の屋外の湿度が低いと判断されるときには、前記空調装置の冷房運転を行うことなく、前記空調装置及び前記暖房装置のうちの少なくとも一方の暖房運転と、前記換気装置の換気運転とを行わせ、取得した指標情報により該住戸の屋外の湿度が高いと判断されるときには、前記暖房装置の暖房運転と前記換気装置の換気運転とを行うことなく、前記空調装置の除湿運転を行わせるように、該空調装置、該換気装置及び該暖房装置の運転制御を実行するように構成されていることを特徴とする（第１発明）。
【０００７】
かかる第１発明によれば、前記衣類乾燥モードにおいて、前記指標情報により住戸の屋外の湿度が低いと判断されるときには、前記空調装置の冷房運転が行われることなく、前記空調装置及び前記暖房装置のうちの少なくとも一方の暖房運転と、前記換気装置の換気運転とが行われる。
【０００８】
この場合、換気装置の換気運転により、比較的低湿度の（乾燥した）外気が室内空間に導入されると共に、衣類から発生した湿気が屋外に排出されつつ、室内空間が暖房される。このため、衣類の乾燥を円滑に進行させることが可能となる。
【０００９】
また、空調装置の冷房運転は行われないので、空調装置及び暖房装置のうちの少なくとも一方の暖房運転により室内空間に生成される熱エネルギーのうち、衣類の乾燥（衣類の湿気の蒸発）に寄与せずに失われるエネルギー量が多くなるのを抑制できる。
【００１０】
一方、前記衣類乾燥モードにおいて、前記指標情報により住戸の屋外の湿度が高いと判断されるときには、前記暖房装置の暖房運転と前記換気装置の換気運転とが行われることなく、前記空調装置の除湿運転が行われる。
【００１１】
この場合、換気装置の換気運転が行われない状態で、前記空調装置の除湿運転が行われるので、比較的高湿度の外気が室内空間に導入されることの無い状態で、室内空間の除湿が効率よくなされる。このため、衣類の乾燥を円滑に進行させることが可能となる。
【００１２】
さらに、暖房装置の暖房運転が行われないので、衣類の乾燥のためのエネルギー消費が過大になるのを抑制できると共に、屋外の湿度が高い状況となりやすい夏季に、室内空間が暑くなり過ぎるのを防止できる。
【００１３】
以上の如く、第１発明によれば、室内空間で衣類を乾燥させることを、無駄なエネルギー消費を極力抑制しつつ、効率よく行うことが可能となる。
【００１４】
かかる第１発明では、前記制御装置は、前記衣類乾燥モードにおいて、前記指標情報により前記住戸の屋外の湿度が低いと判断されるときには、前記空調装置及び前記暖房装置の両方の暖房運転と、前記換気装置の換気運転とを行わせるように、該空調装置、該換気装置及び該暖房装置の運転制御を実行するように構成されていることが好ましい（第２発明）。
【００１５】
これによれば、前記衣類乾燥モードにおいて、前記指標情報により前記住戸の屋外の湿度が低いと判断されるときに、前記空調装置及び前記暖房装置の両方の暖房運転が行われるので、室内空間の室温の昇温を迅速に行って、衣類の乾燥をより早期に進行させることが可能となる。
【００１６】
また、屋外の湿度が低い場合、冬季等で外気温が低いものとなっている場合が多い。この場合、空調装置の室外機の除霜を行うために、該空調装置の暖房運転を中断せざるを得ない状態でも、暖房装置による室内空間の暖房が行われるので、室内空間の室温を高い温度に保持することができる。ひいては、衣類の乾燥を早期に進行させることができる。
【００１７】
また、本発明の衣類乾燥システムは、次のような態様を採用することもできる。すなわち、本発明の衣類乾燥システムは、住戸の室内空間の除湿、冷房及び暖房を選択的に行う機能を有するヒートポンプ式の空調装置と、
前記室内空間の換気を行う機能を有する換気装置と、
前記室内空間に配置された乾燥対象の衣類を乾燥させるための衣類乾燥モードを有し、該衣類乾燥モードにおいて、前記空調装置及び前記換気装置のうちの一つ以上の装置を作動させるように、該空調装置及び該換気装置の運転制御を実行する制御装置とを備えており、
前記制御装置は、前記衣類乾燥モードにおいて、前記住戸の屋外の湿度の高低を判断するための指標情報を取得可能であり、取得した指標情報により該住戸の屋外の湿度が低いと判断されるときには、前記空調装置の暖房運転と、前記換気装置の換気運転とを行わせ、取得した指標情報により該住戸の屋外の湿度が高いと判断されるときには、前記換気装置の換気運転を行うことなく、前記空調装置の除湿運転を行わせるように、該空調装置及び該換気装置の運転制御を実行するように構成されていることを特徴とする（第３発明）。
【００１８】
かかる第３発明によれば、前記衣類乾燥モードにおいて、前記指標情報により住戸の屋外の湿度が低いと判断されるときには、前記空調装置の暖房運転と、前記換気装置の換気運転とが行われる。
【００１９】
この場合、前記第１発明と同様に、換気装置の換気運転により、比較的低湿度の（乾燥した）外気が室内空間に導入されると共に、衣類から発生した湿気が屋外に排出されつつ、室内空間が暖房されるので、衣類の乾燥を円滑に進行させることが可能となる。
【００２０】
また、空調装置の暖房運転を行うことで、室内空間の冷房は行われないので、空調装置の暖房運転により室内空間に生成される熱エネルギーのうち、衣類の乾燥（衣類の湿気の蒸発）に寄与せずに失われるエネルギー量が多くなるのを抑制できる。
【００２１】
一方、前記衣類乾燥モードにおいて、前記指標情報により住戸の屋外の湿度が高いと判断されるときには、前記換気装置の換気運転が行われることなく、前記空調装置の除湿運転が行われる。
【００２２】
この場合、換気装置の換気運転が行われない状態で、前記空調装置の除湿運転が行われるので、第１発明と同様に、比較的高湿度の外気が室内空間に導入されることの無い状態で、室内空間の除湿が効率よくなされる。このため、衣類の乾燥を円滑に進行させることが可能となる。
【００２３】
以上の如く、第３発明によれば、室内空間で衣類を乾燥させることを、無駄なエネルギー消費を極力抑制しつつ、効率よく行うことが可能となる。
【００２４】
上記第１〜第３発明では、前記制御装置は、前記室内空間に人が居るか否かを判断するための指標情報である在室情報を取得可能であり、該在室情報により前記室内空間に人が居ないと判断されることを必要条件として、前記衣類乾燥モードでの前記運転制御を実行するように構成されていることが好ましい（第４発明）。
【００２５】
これによれば、室内空間に人が在室する状態では、前記衣類乾燥モードでの前記運転制御が実行されないこととなるので、該室内空間に在室する人の快適性を損なうのを防止することができる。
【図面の簡単な説明】
【００２６】
【図１】本発明の実施形態の衣類乾燥システムの全体構成を示す図。
【図２】実施形態の衣類乾燥システムの作動を示すフローチャート。
【発明を実施するための形態】
【００２７】
本発明の一実施形態を図１及び図２を参照して以下に説明する。本実施形態の衣類乾燥システムは、住戸Ｈの室内空間Ｒｍを衣類ＣＬの乾燥部屋として利用するシステムである。室内空間Ｒｍは、例えば、台所に繋がる居室（所謂、リビング・ダイニング・キッチン（ＬＤＫ）の形態の部屋）である。そして、本実施形態の衣類乾燥システムは、ヒートポンプ式の空調装置１と、暖房装置２と、換気装置７とを備える。
【００２８】
空調装置１は、室内空間Ｒｍの壁等に取り付けられた室内機１ａと、屋外に設置された室外機１ｂとを有する公知の構造の空調装置（所謂、エアコン）であり、室内空間Ｒｍの冷房を行う冷房運転と、暖房を行う暖房運転と、除湿を行う除湿運転とを選択的に実行可能である。
【００２９】
この空調装置１の室内機１ａには、空調装置１の運転制御を行う機能を有する制御装置１ｃと、室内空間Ｒｍに存在する人を検知する人感センサ１ｓａと、室内空間Ｒｍの室温を検出する温度センサ１ｓｂとが搭載され、室外機１ｂには、外気温を検出する温度センサ１ｓｃが搭載されている。制御装置１ｃは、マイクロコンピュータ、メモリ、インターフェース回路等を含む電子回路ユニットにより構成され、実装されたハードウェア構成及びプログラム（ソフトウェア構成）に実現される機能によって空調装置１の運転制御を行うことが可能である。。
【００３０】
なお、室温を検出する温度センサ１ｓｂは、空調装置１の運転操作用のリモコン（図示省略）に搭載されていてもよい。
【００３１】
暖房装置２は、空調装置１とは別に室内空間Ｒｍの暖房を行う装置であり、本実施形態では、例えば、室内空間Ｒｍの床に設置された温水式の床暖房装置であり、屋外に設置された熱源機３との間で温水を循環させ得るように温水配管４を介して該熱源機３に接続されている。
【００３２】
熱源機３は、図示を省略するバーナ及び熱交換器を有する燃焼式の熱源機であり、暖房装置２の暖房運転時には、該暖房装置２との間で温水を循環させつつ、該温水をバーナの燃焼熱により熱交換器を介して加熱するように構成されている。
【００３３】
この熱源機３には、暖房装置２及び熱源機３の運転制御を行う機能を有する制御装置３ｃが搭載されている。該制御装置３ｃは、マイクロコンピュータ、メモリ、インターフェース回路等を含む電子回路ユニットにより構成され、実装されたハードウェア構成及びプログラム（ソフトウェア構成）により実現される機能によって暖房装置２及び熱源機３の運転制御を行うことが可能である。。
【００３４】
そして、制御装置３ｃには、暖房装置２及び熱源機３の運転操作を行うためのリモコン５が、該制御装置３ｃと通信し得るように該制御装置３ｃに有線接続されている。リモコン５には、マイクロコンピュータ、メモリ、インターフェース回路等を含む電子回路ユニット（図示省略）が搭載されていると共に、複数のスイッチ等により構成される操作部５ａと、各種情報を表示する表示部５ｂと、音声や警報音等の音響情報を出力する発音部５ｃとが備えられている。
【００３５】
なお、リモコン５を含む複数のリモコンが制御装置３ｃに接続されていてもよい。また、リモコン５と制御装置３ｃとの間の通信方式は、有線通信に限らず、Wi-Fi（登録商標）もしくはBluetooth（登録商標）等の無線通信であってもよい。
【００３６】
補足すると、熱源機３は、バーナの代わりに、もしくはバーナに加えて電気式の加熱源（ヒートポンプ式の加熱源を含む）を備えていてもよい。また、熱源機３は、給湯運転を行う機能、あるいは、風呂運転（湯はり運転、追い焚き運転等）を行う機能を含んでいてもよい。
【００３７】
また、暖房装置２は、床暖房装置に限らず、ファンコンベクタ等の暖房装置であってもよい。さらに、暖房装置２は、温水式の暖房装置に限らず、例えば、電気式の暖房装置（電気エネルギーを熱エネルギーに変換して放熱する暖房装置）、あるいは、バーナを内蔵するＦＦ式の温風暖房装置であってもよい。
【００３８】
換気装置７は、室内空間Ｒｍの換気を行う装置であり、例えば、室内空間Ｒｍのうちの台所等の壁に設置されている。該換気装置７は、そのファン７ａの回転によって、室内空間Ｒｍ内の空気を屋外に導出しつつ、室内空間Ｒｍに通じる図示しない給気口から該室内空間Ｒｍに外気を導入する。該換気装置７には、その運転制御（換気装置７のファンの回転制御）を行う機能を有する制御装置７ｃが搭載されている。該制御装置７ｃは、マイクロコンピュータ、メモリ、インターフェース回路等を含む電子回路ユニットにより構成され、実装されたハードウェア構成及びプログラム（ソフトウェア構成）により実現される機能によって、換気装置７の運転制御を行うことが可能である。
【００３９】
なお、換気装置７は、台所のコンロ等の上方に配置されたレンジフード、あるいは、室内空間Ｒｍの天井等に設けられている２４時間換気用の換気装置であってもよい。
【００４０】
また、本実施形態では、前記リモコン５は、住戸Ｈ内のローカルエリアネットワーク（ホームネットワーク）の中継器としての機能を有しており、空調装置１の制御装置１ｃ及び換気装置７の制御装置７ｃのそれぞれと、Wi-Fi（登録商標）もしくはBluetooth（登録商標）等の通信方式で無線通信を行い得るように構成されている。そして、リモコン５は、空調装置１の制御装置１ｃ、熱源機３の制御装置３ｃ及び換気装置７の制御装置７ｃとの通信によって、空調装置１、暖房装置２、熱源機３及び換気装置７のそれぞれの運転情報やセンシング情報等を取得することが可能である。
【００４１】
なお、本実施形態では、リモコン５、空調装置１の制御装置１ｃ、熱源機３の制御装置３ｃ及び換気装置７の制御装置７ｃの全体によって、本発明における制御装置が構成される。
【００４２】
本実施形態では、リモコン５はさらに、インターネット、公衆通信網等により構成される広域ネットワークである外部ネットワークＮＷに接続可能なルータ１１と、Wi-Fi（登録商標）もしくはBluetooth（登録商標）等の通信方式で無線通信を行うことも可能であると共に、該ルータ１１を介して外部ネットワーク（広域ネットワーク）ＮＷと通信を行うことが可能である。
【００４３】
なお、リモコン５は、ＬＡＮケーブル等を介してルータ１１と有線通信を行い得るように構成されていてもよい。また、リモコン５は、ルータとしての機能を併せもつように構成されていてもよい。この場合には、ルータ１１は不要である。また、ルータ１１と外部ネットワークＮＷとの間の通信は、無線通信及び有線通信のいずれでもよい。また、住戸Ｈ内のローカルエリアネットワーク（ホームネットワーク）の中継器としての機能、あるいは、外部ネットワークＮＷと通信を行う機能は、リモコン５以外の通信機器、もしくは、空調装置１の制御装置１ｃ、もしくは換気装置７の制御装置７ｃ、もしくは熱源機３の制御装置３ｃに備えられていてもよい。
【００４４】
外部ネットワークＮＷには、住戸Ｈを含む複数の住戸のそれぞれのユーザが使用可能なスマートフォン、タブレット端末、携帯電話（フィーチャフォン）、パソコン等の外部通信端末１３と、該ユーザの住戸の住宅設備機器との間の通信を中継する機能を有するサーバ１５が接続されている。
【００４５】
そして、各住戸のユーザは、自身の外部通信端末１３にあらかじめインストールしておいた所定のサービスアプリケーションを起動することで、該外部通信端末１３と自身の住戸の住宅設備機器との間の通信をサーバ１５及び外部ネットワークＮＷを介して行うことが可能である。この通信により、各住戸の住宅設備機器のユーザは、宅外において、自身の住戸の住宅設備機器の遠隔操作を行ったり、あるいは、該住宅設備機器の運転情報を取得することが可能である。
【００４６】
例えば、住戸Ｈのユーザは、自身の外部通信端末１３（サービスアプリケーションがインストールされた外部通信端末１３）と、リモコン５との間の通信をサーバ１５及び外部ネットワークＮＷを介して行うことが可能である。
【００４７】
そして、この通信を行うことで、住戸Ｈのユーザは、自身の外部通信端末１３を使用して、宅外から空調装置１、暖房装置２、及び換気装置７のそれぞれの運転の遠隔操作を行ったり、あるいは、空調装置１、暖房装置２、及び換気装置７のそれぞれの運転情報等を自身の外部通信端末１３で取得することが可能である。
【００４８】
なお、外部通信端末１３と外部ネットワークＮＷとの間の通信は、無線通信及び有線通信のいずれでもよい。また、住戸Ｈのユーザの外部通信端末１３と、リモコン５との間の通信は、上記の形態に限らず、プロバイダ等のサーバを介して行い得るようになっていてもよい。
【００４９】
次に、本実施形態の衣類乾燥システムの作動を説明する。住戸Ｈのユーザは、室内空間Ｒｍでロープやハンガー等に吊り下げた乾燥対象の衣類ＣＬを、外出中に乾燥しておくことを希望する場合には、例えば、外出後に、自身の外部通信端末１３のサービスアプリケーションを起動し、該外部通信端末１３を操作することで、衣類乾燥モードの運転を実行すべき旨の指令を、サーバ１５及び外部ネットワークＮＷを介して住戸Ｈのリモコン５に送信する。
【００５０】
このとき、当該指令を受信したリモコン５は、衣類乾燥モードの制御処理を開始する。なお、例えば、衣類乾燥モードの運転を実行すべき時間帯を、ユーザが、リモコン５の操作又は外部通信端末１３の操作によって、リモコン５に対して設定し得るようにして、該時間帯が到来した時に、リモコン５が自動的に衣類乾燥モードの制御処理を開始するようにしてもよい。
【００５１】
衣類乾燥モードの制御処理は、リモコン５と前記制御装置１ｃ，３ｃ，７ｃとの協働によって、例えば図２のフローチャートに示す如く実行される。
【００５２】
ＳＴＥＰ１において、リモコン５は、空調装置１の制御装置１ｃとの通信を行うことで、室内空間Ｒｍに人が在室しているか否かを示す前記人感センサ１ｓａの検知情報（以降、人検知情報という）と、前記温度センサ１ｓｃによる外気温の検出情報とを取得する。
【００５３】
なお、本実施形態では、人感センサ１ｓａによる人検知情報は、本発明における在室情報に相当し、温度センサ１ｓｃによる外気温の検出情報は、本発明において屋外の湿度の高低を判断するための指標情報に相当する。
【００５４】
そして、リモコン５は、ＳＴＥＰ２において、人検知情報が室内空間Ｒｍに人が在室していることを示す情報であるか否かを判断し、該ＳＴＥＰ２の判断結果が肯定的である場合（室内空間Ｒｍに人が在室している場合）には、ＳＴＥＰ１からの処理を繰り返す。
【００５５】
なお、ＳＴＥＰ２の判断結果が肯定的である場合、室内空間Ｒｍに人が在室している旨を、リモコン５からユーザの外部通信端末１３に送信して、当該旨を外部通信端末１３からユーザに報知するようにしてもよい。さらに、室内空間Ｒｍに人が在室している旨を認識したユーザが、衣類乾燥モードの運転を中止すべきか否かを外部通信端末１３からリモコン５に指令し得るようにしてもよい。
【００５６】
ＳＴＥＰ２の判断結果が否定的である場合（室内空間Ｒｍに人が居ない場合）には、次に、ＳＴＥＰ３からの処理が実行される。
【００５７】
ＳＴＥＰ３では、リモコン５は、ＳＴＥＰ１で取得した検出情報により示される現在の外気温が、所定温度よりも高い温度であるか否かを判断する。ここで、該所定温度は、本実施形態では、該所定温度よりも外気温が高い状態が、夏季の高湿度状態であるとみなし得るような温度（例えば２８℃）に設定されている。
【００５８】
ＳＴＥＰ３の判断結果が肯定的である場合（外気温＞所定温度である場合）には、夏季の高湿度状態であるとみなし得るので、リモコン５はＳＴＥＰ４において、暖房装置２及び換気装置７の運転を停止させた状態で、空調装置１の除湿運転を行うという衣類乾燥モードの運転を実行すべき旨を、各制御装置１ｃ，３ｃ，７ｃに送信する。
【００５９】
これに応じて、空調装置１の制御装置１ｃは、空調装置１の除湿運転を開始する。また、熱源機３の制御装置３ｃと、換気装置７の制御装置７ｃとは、それぞれ、暖房装置２及び換気装置７のそれぞれを運転停止状態に維持する。
【００６０】
これにより、暖房装置２及び換気装置７の運転を停止させた状態で、空調装置１の除湿運転を行うという衣類乾燥モードの運転が実行され、ひいては、衣類ＣＬの乾燥が行われる。このＳＴＥＰ４における衣類乾燥モードの運転（空調装置１の除湿運転）は、所定時間実行され、該所定時間の経過後、空調装置１の除湿運転が自動的に停止される。
【００６１】
かかる衣類乾燥モードの運転時には、換気装置７の換気運転が行われないので、高湿度の外気が室内空間Ｒｍに取り込まれるのが防止され、ひいては、空調装置１の除湿運転による衣類ＣＬの乾燥を円滑に進行させることができる。また、暖房装置２の暖房運転が行われないので、衣類乾燥モードでのエネルギー消費が過大になるのが抑制されると共に、室内空間Ｒｍが暑くなり過ぎるのが防止される。
【００６２】
なお、ＳＴＥＰ４における衣類乾燥モードの運転時に、温度センサ１ｓｂにより検出された室温を示す情報をユーザの外部通信端末１３に適宜、送信したり、あるいは、空調装置１の風量もしくは室内空間Ｒｍの室温の目標温度等をユーザが外部通信端末１３からリモコン５に指令し得るようにしてもよい。
【００６３】
また、ＳＴＥＰ３の判断結果が否定的である状況（外気温≦所定温度となる状況）は、春季もしくは秋季もしくは冬季の低湿度状態とみなし得る状況である。この場合には、リモコン５はＳＴＥＰ５において、空調装置１の暖房運転と、暖房装置２の暖房運転と、換気装置７の換気運転と行うという衣類乾燥モードの運転を実行すべき旨を、各制御装置１ｃ，３ｃ，７ｃに送信する。
【００６４】
これに応じて、空調装置１の制御装置１ｃ、熱源機３の制御装置３ｃ、及び換気装置７の制御装置７ｃは、それぞれ、空調装置１の暖房運転と、暖房装置２の暖房運転と、換気装置７の換気運転とを開始させる。
【００６５】
これにより、空調装置１の暖房運転と、暖房装置２の暖房運転と、換気装置７の換気運転と行うという衣類乾燥モードの運転が実行される。このＳＴＥＰ５における衣類乾燥モードの運転（空調装置１及び暖房装置２の暖房運転、並びに換気装置７の換気運転）は、所定時間実行され、該所定時間の経過後、空調装置１及び暖房装置２の暖房運転、並びに換気装置７の換気運転が自動的に停止される。
【００６６】
かかる衣類乾燥モードの運転時には、換気装置７の換気運転により、比較的低湿度の（乾燥した）外気が室内空間Ｒｍに導入されると共に、衣類ＣＬから発生した湿気が屋外に排出されつつ、室内空間Ｒｍが暖房されるため、衣類ＣＬの乾燥を円滑に進行させることができる。
【００６７】
また、空調装置１及び暖房装置２の両方の暖房運転が行われるので、室内空間Ｒｍの室温を速やかに昇温させることができ、ひいては、衣類ＣＬの乾燥の進行を早めることができる。
【００６８】
なお、ＳＴＥＰ５における衣類乾燥モードの運転では、空調装置１及び暖房装置２のいずれか一方だけの暖房運転と、換気装置７の換気運転とを行うようにしてもよい。また、ＳＴＥＰ５における衣類乾燥モードの運転時に、温度センサ１ｓｂにより検出された室温を示す情報をユーザの外部通信端末１３に適宜、送信したり、あるいは、空調装置１の風量、暖房装置２の暖房強度、換気装置７の風量、室内空間Ｒｍの室温の目標温度等をユーザが外部通信端末１３からリモコン５に指令し得るようにしてもよい。
【００６９】
本実施形態の衣類乾燥システムでは、以上の如く衣類乾燥モードでの運転が行われるので、外気が比較的高湿度となる夏季と、外気が比較的低湿度となる春季、秋季、及び冬季のいずれの場合でも、住戸Ｈの室内空間Ｒｍでの衣類ＣＬの乾燥を、無駄なエネルギー消費を抑制しつつ、効率よく行うことができる。
【００７０】
また、衣類乾燥モードの運転は、室内空間Ｒｍに人が居ないことが確認された上で行われるので、室内空間Ｒｍに人が在室しているのに、衣類乾燥モードの運転が自動的に開始されてしまうのが防止される。ひいては、該人に不快感を及ぼすのを防止できる。
【００７１】
なお、本発明は、以上説明した実施形態に限定されるものではなく、他の実施形態を採用することもできる。以下に他の実施形態をいくつか説明する。
【００７２】
前記実施形態では、温度センサ１ｓｃによる外気温の検出情報を、住戸Ｈの屋外の湿度の高低を判断するための指標情報として使用した。ただし、例えば、リモコン５が住戸Ｈの所在地近辺の地域の代表的な外気温もしくは湿度を示す情報をサーバ１５から取得し得る場合には、該情報を、ＳＴＥＰ３において、住戸Ｈの屋外の湿度の高低を判断するための指標情報として使用してもよい。
【００７３】
また、例えば、リモコン５がカレンダ情報を取得し得る場合には、ＳＴＥＰ３において、該カレンダ情報から特定される現在の季節が夏季である場合に屋外の湿度が高い状況であると判断し、該カレンダ情報から特定される現在の季節が春季、秋季、もしくは冬季である場合に屋外の湿度が低い状況であると判断してもよい。
【００７４】
さらに、カレンダ情報と外気温の検出情報とからマップ等を用いて、屋外の湿度の高低を判断するようにしてもよい。
【００７５】
また、空調装置１の室外機、あるいは、熱源機３等に屋外の湿度を検出する湿度センサが搭載されている場合には、該湿度センサによる湿度の検出情報をそのまま、屋外の湿度の高低を判断するための指標情報として使用してもよい。
【００７６】
また、前記実施形態では、人感センサ１ｓａによる人検知情報だけを、室内空間Ｒｍに人が居るか否かを判断するための指標情報（在室情報）として使用したが、例えば、衣類乾燥モードの制御処理の開始時に、空調装置１、暖房装置２及び換気装置７のいずれかの運転が既に行われている場合には、人感センサ１ｓａにより、人の在室が検知されない場合でも、室内空間Ｒｍに人が在室しているとみなしてもよい。
【００７７】
また、前記実施形態では、暖房装置２を含む衣類乾燥システムを例示した。ただし、衣類乾燥システムは、暖房装置２を含まないシステムであってもよい。この場合の実施形態としては、前記ＳＴＥＰ４においては、換気装置７の運転を停止した状態で、空調装置１の除湿運転を実行し、前記ＳＴＥＰ５においては、空調装置１の暖房運転と換気装置７の換気運転とを実行するという実施形態を採用し得る。
【００７８】
また、前記実施形態で説明した図２の制御処理において、リモコン５が実行する処理の全部もしくは一部を他の制御装置１ｃ又は３ｃ又は７ｃで実行するようにしてもよい。
【符号の説明】
【００７９】
１…空調装置、２…暖房装置、７…換気装置、５…リモコン（制御装置）、１ｃ，３ｃ，７ｃ…制御装置。
【図１】
2019056508.tif 000003
【図２】
2019056508.tif 000004